(57)【要約】【課題】原稿送り装置に載置された原稿群から供給される、異なったサイズを有する原稿の原稿サイズを適切に検知する。【解決手段】原稿読み取り位置に向けて供給されるサイズの異なる原稿を同時に載置することのできる原稿トレイ１１と、この原稿トレイ１１に載置されるサイズの異なる原稿の中から最大主走査方向サイズの一方の原稿サイドに合わせて変位されて位置決めされる奥側ガイド６１と、この奥側ガイド６１と略同一の変位量によって変位すると共に、最大主走査方向サイズの他方の原稿サイドに合わせて位置決めされる手前側ガイド６２と、位置決めされた奥側ガイド６１の位置を基準として同時に載置された最大主走査方向サイズ以外の主走査方向サイズを有する原稿を検知する検知センサ６６とを有する。【選択図】　　　　図３
2004048282.tif 000002
【特許請求の範囲】
【請求項１】
原稿読み取り位置に向けて供給されるサイズの異なる原稿を同時に載置することのできる原稿トレイと、
前記原稿トレイに載置されるサイズの異なる原稿の中から最大主走査方向サイズの一方の原稿サイドに合わせて変位されて位置決めされる第１のガイドと、
前記第１のガイドと略同一の変位量によって変位すると共に、前記最大主走査方向サイズの他方の原稿サイドに合わせて位置決めされる第２のガイドと、
位置決めされた前記第１のガイドの位置を基準として同時に載置された前記最大主走査方向サイズ以外の主走査方向サイズを有する原稿を検知するセンサと、
を有する原稿送り装置。
【請求項２】
前記センサは、載置される原稿の主走査方向に対して位置が変動しないことを特徴とする請求項１記載の原稿送り装置。
【請求項３】
前記センサは、前記第１のガイドの変位に連動して原稿の主走査方向に対して位置が変わることを特徴とする請求項１記載の原稿送り装置。
【請求項４】
原稿読み取り位置に向けて供給されるサイズの異なる原稿を同時に載置することのできる原稿載置手段と、
前記原稿載置手段に載置される原稿の主走査方向に対し、当該原稿の両サイドからセンター振り分けで位置決めを行う位置決め手段と、
前記位置決め手段における一方のサイドまたは前記両サイドにより位置決めされた原稿を搬送する原稿搬送路にて、前記主走査方向の異なる位置に存在する原稿を検知可能な原稿検知手段と、
前記原稿検知手段による原稿検知に基づいて、前記原稿載置手段に対して同時に載置されたサイズの異なる原稿の主走査方向サイズを認識する認識手段と
を含む原稿送り装置。
【請求項５】
前記認識手段は、前記位置決め手段の位置と前記原稿検知手段による原稿検知とに基づいて、前記原稿載置手段に載置された原稿のサイズを認識することを特徴とする請求項４記載の原稿送り装置。
【請求項６】
前記認識手段は、想定する最大主走査方向幅に前記位置決め手段が位置決めされた状態で、当該位置決め手段の一方のサイドに位置決めされた原稿を前記検知手段により検知し、当該原稿の主走査方向サイズを認識することを特徴とする請求項４記載の原稿送り装置。
【請求項７】
前記認識手段は、前記主走査方向サイズの異なる異幅ミックス原稿のサイズを認識することを特徴とする請求項４記載の原稿送り装置。
【請求項８】
サイズの異なる原稿を前記原稿載置手段に同時に載置して順次読み取るモードであるミックスモードの指示をユーザから受けるユーザ要求受付手段を更に備え、
前記認識手段は、前記原稿載置手段に載置されている原稿束の最大サイズが前記位置決め手段により位置決めされたサイズよりも小さい場合に、前記ユーザ要求受付手段による前記ミックスモードの指示に基づいて前記原稿の主走査方向サイズを認識することを特徴とする請求項４記載の原稿送り装置。
【請求項９】
サイズの異なる原稿を含む原稿群から、当該原稿群に含まれる原稿のサイズを認識する原稿読み取り装置であって、
前記原稿群から搬送される原稿の搬送方向に直交する方向に対してセンター振り分けで位置決めするためのガイド手段と、
前記原稿群の最大原稿幅に合わせて位置決めされた前記ガイド手段の位置を認識する位置認識手段と、
前記原稿群を構成する原稿を全て前記ガイド手段に突き当てた状態から搬送される当該原稿の原稿幅を認識する原稿幅認識手段と
を含む原稿読み取り装置。
【請求項１０】
前記原稿群からサイズの異なる原稿を順次読み取るモードであるミックスモードの選択をユーザから受けるユーザ要求受信手段を更に備えたことを特徴とする請求項９記載の原稿読み取り装置。
【請求項１１】
サイズの異なる原稿を含む原稿群から、当該原稿群に含まれる原稿のサイズを認識する原稿サイズ認識方法であって、
搬送される原稿の搬送方向に直交する方向に対し、前記原稿群の中で最大サイズを有する原稿についてセンター振り分けで位置決めがなされたガイドの位置を認識するステップと、
前記原稿群から１枚ずつ搬送される原稿に関する情報を当該原稿の搬送方向に直交する方向に設けられた検知センサによって認識するステップと、
認識された前記ガイドの位置および前記検知センサによる原稿に関する情報の認識に基づいて、前記原稿群から１枚ずつ搬送される原稿のサイズを認識するステップと
を含む原稿サイズ認識方法。
【請求項１２】
搬送される前記原稿の送り量から原稿の搬送方向長さを認識するステップとを更に含む請求項１１記載の原稿サイズ認識方法。
【請求項１３】
サイズの異なる原稿を含む原稿群から、当該原稿群に含まれる原稿のサイズを認識する原稿サイズ認識方法であって、
搬送される原稿の搬送方向に直交する方向に対して当該原稿をセンター振り分けで位置決めするためのガイドが、最大載置原稿幅まで広げられた状態にあることを確認するステップと、
前記原稿群を構成する原稿が全て前記ガイドに突き当てられていることを前提とし、当該原稿群から搬送される原稿の原稿幅を認識するステップと
を含む原稿サイズ認識方法。
【発明の詳細な説明】
【０００１】
【発明の属する技術分野】
本発明は、複写機、ファクシミリ、スキャナなどに用いられる原稿送り装置等に係り、より詳しくは、所謂ミックスモードに対応した原稿送り装置等に関する。
【０００２】
【従来の技術】
従来、複写機やファクシミリ等の読み取り装置、コンピュータ入力用のスキャナ等として、例えば原稿における表裏両面の画像情報を自動的に読み取る原稿読み取り装置が広く用いられている。これらの画像読み取り装置では、原稿読み取り位置に向けて原稿を自動的に送出する自動原稿送り装置と、原稿読み取り位置にて搬送された原稿画像を読み取る画像読み取り装置（ＩＩＴ：Ｉｍａｇｅ　Ｉｎｐｕｔ　Ｔｅｒｍｉｎａｌ）とを備えている。この画像読み取り装置は、原稿読み取り位置に送出された原稿画像を読み取るＣＣＤ等の画像読み取り素子や、自動原稿送り装置によって搬送され原稿読み取り位置に位置する原稿に対して光を照射し反射画像を画像読み取り素子に結像させる結像光学系とを備えている。
【０００３】
この種の自動原稿送り装置にあっては、原稿サイズ用のセンサ類を設けることで原稿サイズを判定し、これに合致した記録材を自動供給するように制御するものが存在する。この原稿サイズを判定する原稿サイズ検知方式としては、例えば、原稿搬送路にインタラプタ型のセンサを配設し、原稿の搬送によってアクチュエータを動かすことでこのセンサを作動させる方式が知られている。また、自動原稿送り装置に設けられた原稿載置台の上にて原稿を引き込んで固定し、前もって結像光学系を移動させるプリスキャン動作を行うことで原稿サイズを検知する方式も存在する。また更に、原稿搬送路の上流側に原稿サイズ検知位置を設定し、この原稿サイズ検知位置を通過する原稿の大きさを反射型センサ等により認識して原稿サイズを検知するものも存在する。更に、原稿載置台に設けられるスライド型のガイド部材における移動位置によって原稿搬送方向に直交する方向の長さを認識し、搬送される原稿の長さを搬送路に設けられるセンサによって認識して原稿サイズを検知するものがある。
【０００４】
ここで、通常の画像読み取り装置では、原稿画像の主走査方向（原稿送り方向と直交する方向）の読み取りに際し、所定の基準位置から原稿読み取りが行われる。この原稿の読み取りの基準位置としては、画像読み取り装置の手前側や奥側を基準とするサイドレジ（サイドレジストレーション）が広く採用されている。このサイドレジを採用する画像読み取り装置に自動原稿送り装置が備えられる場合に、原稿載置台の手前側や奥側に原稿を突き当て、原稿の他方側に対して例えばスライド型のガイドを押し当てて、原稿の位置決めが行われている。一方、原稿の中央位置（原稿における主走査方向の中央位置）を基準とするセンターレジ（センターレジストレーション）が採用される場合がある。このセンターレジを採用する画像読み取り装置に対して自動原稿送り装置から原稿を供給する際には、自動原稿送り装置からの原稿を中央位置に揃える必要がある。そこで、原稿載置台にその中央位置から同じ変位でスライドするガイド部材を設け、このガイド部材によって原稿をセンターに振り分け、中央位置に位置決めするように構成されている。
【０００５】
【発明が解決しようとする課題】
これらの画像読み取り装置では、上述したように、例えばガイド部材のスライド位置と原稿搬送距離によって原稿サイズを検知していた。しかし、原稿送り方向に直交する方向（主走査方向、奥行き方向、原稿の幅方向）に長さの異なる原稿（異幅ミックス原稿）を一緒に入力する場合があり、かかる場合には、ガイド部材による奥行き方向の検知ができなくなる。それでも、上述したサイドレジを採用する場合には、例えば奥側の位置を基準として、その奥側から一定間隔を置いて設けられる数個の原稿検知センサを用い、比較的容易に原稿の奥行き方向を検知することができる。しかしながら、センターレジを採用する画像読み取り装置では、異幅ミックス原稿の載置が、手前側のガイド部材に押し当てられる場合、奥側のガイド部材に押し当てられる場合、センターに合わせて載置される場合等、数々の態様が考えられ、有効な検知手段が存在しない。特に、ユーザが例えば異幅ミックス原稿をセンターに合わせて正確に載置することは難しく、異幅ミックス原稿の全ての原稿に対してセンターレジによる読み取りは特に難しい。また、原稿を原稿搬送路に搬送した後、例えば原稿読み取り位置にて、実際に画像を読み取る画像読み取り素子等を用いて原稿のサイズを予め測定する方法もあるが、原稿サイズ検知に時間がかかり、処理速度が遅くなり、近年、強く要求されている画像読み取りの生産性向上を図ることができなくなる。
【０００６】
本発明は、以上のような技術的課題を解決するためになされたものであって、その目的とするところは、通常の原稿を搬送する際にはセンターレジストレーション（センター振り分け）を採用する原稿送り装置にあって、この原稿送り装置に載置された原稿群から供給される、異なったサイズを有する原稿の原稿サイズを適切に検知することにある。
また他の目的は、異なる原稿サイズの原稿を有する原稿群から原稿を搬送するに際して、ユーザの操作を簡略化させることにある。
【０００７】
【課題を解決するための手段】
かかる目的のもと、本発明が適用される原稿送り装置は、原稿読み取り位置に向けて供給されるサイズの異なる原稿を同時に載置することのできる原稿トレイと、この原稿トレイに載置されるサイズの異なる原稿の中から最大主走査方向サイズの一方の原稿サイドに合わせて変位されて位置決めされる第１のガイドと、この第１のガイドと略同一の変位量によって変位すると共に、最大主走査方向サイズの他方の原稿サイドに合わせて位置決めされる第２のガイドと、位置決めされた第１のガイドの位置を基準として同時に載置された最大主走査方向サイズ以外の主走査方向サイズを有する原稿を検知するセンサとを有する。ここで、このセンサは、載置される原稿の主走査方向に対して位置が変動しないこと、または、第１のガイドの変位に連動して原稿の主走査方向に対して位置が変わることを特徴とすることができる。
【０００８】
また、本発明が適用される原稿送り装置は、原稿読み取り位置に向けて供給されるサイズの異なる原稿を同時に載置することのできる原稿載置手段と、この原稿載置手段に載置される原稿の主走査方向に対し、原稿の両サイドからセンター振り分けで位置決めを行う位置決め手段と、この位置決め手段における一方のサイドまたは両サイドにより位置決めされた原稿を搬送する原稿搬送路にて、主走査方向の異なる位置に存在する原稿を検知可能な原稿検知手段と、この原稿検知手段による原稿検知に基づいて、原稿載置手段に対して同時に載置されたサイズの異なる原稿の主走査方向サイズを認識する認識手段とを含む。
【０００９】
より具体的には、この認識手段は、想定する最大主走査方向幅に位置決め手段が位置決めされた状態で、この位置決め手段の一方のサイドに位置決めされた原稿を検知手段により検知し、原稿の主走査方向サイズを認識することで、例えば、主走査方向サイズの異なる異幅ミックス原稿のサイズを認識することができる。
【００１０】
更に、サイズの異なる原稿を原稿載置手段に同時に載置して順次読み取るモードであるミックスモードの指示をユーザから受けるユーザ要求受付手段を備え、認識手段は、原稿載置手段に載置されている原稿束の最大サイズが位置決め手段により位置決めされたサイズよりも小さい場合に、ユーザ要求受付手段によるミックスモードの指示に基づいて原稿の主走査方向サイズを認識することを特徴とすることができる。
【００１１】
一方、本発明は、サイズの異なる原稿を含む原稿群から、この原稿群に含まれる原稿のサイズを認識する原稿読み取り装置であって、原稿群から搬送される原稿の搬送方向に直交する方向に対してセンター振り分けで位置決めするためのガイド手段と、原稿群の最大原稿幅に合わせて位置決めされたガイド手段の位置を認識する位置認識手段と、原稿群を構成する原稿を全てガイド手段に突き当てた状態から搬送される原稿の原稿幅を認識する原稿幅認識手段と、認識された原稿幅に基づいて原稿情報を読み取る読み取り手段と、原稿群からサイズの異なる原稿を順次読み取るモードであるミックスモードの選択をユーザから受けるユーザ要求受信手段とを含む。
【００１２】
また、本発明は、サイズの異なる原稿を含む原稿群から、この原稿群に含まれる原稿のサイズを認識する原稿サイズ認識方法であって、搬送される原稿の搬送方向に直交する方向に対し、原稿群の中で最大サイズを有する原稿についてセンター振り分けで位置決めがなされたガイドの位置を認識するステップと、この原稿群から１枚ずつ搬送される原稿に関する情報を原稿の搬送方向に直交する方向に設けられた検知センサによって認識するステップと、認識されたガイドの位置および検知センサによる原稿に関する情報の認識に基づいて、この原稿群から１枚ずつ搬送される原稿のサイズを認識するステップと、搬送される原稿の送り量から原稿の搬送方向長さを認識するステップとを含む。
【００１３】
更に他の観点から捉えると、本発明が適用される原稿サイズ認識方法は、搬送される原稿の搬送方向に直交する方向に対してこの原稿をセンター振り分けで位置決めするためのガイドが、最大載置原稿幅まで広げられた状態にあることを確認するステップと、この原稿群を構成する原稿が全てガイドに突き当てられていることを前提とし、この原稿群から搬送される原稿の原稿幅を認識するステップとを含む。
【００１４】
【発明の実施の形態】
以下、添付図面に示す実施の形態に基づいて、本発明を詳細に説明する。
◎　実施の形態１
図１は本実施の形態が適用される画像読み取り装置を示した図である。この画像読み取り装置は、大きく、積載された原稿束から原稿を順次、搬送する原稿送り装置１０、原稿送り装置１０を制御するＡＤＦコントローラ９０、ＣＣＤ（Ｃｈａｒｇｅ　Ｃｏｕｐｌｅｄ　Ｄｅｖｉｃｅ）イメージセンサ７８を用いて画像を読み込むスキャナ装置７０、および、スキャナ装置７０によって読み込まれた画像信号を処理する処理装置８０に大別される。
【００１５】
原稿送り装置１０は、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により搬送された原稿を更に下流側まで搬送するフィードロール１４、ナジャーロール１３により供給される原稿を１枚づつ捌くリタードロール１５を備えている。最初に原稿が搬送される第１搬送路３１には、一枚づつに捌かれた原稿を下流側のロールまで搬送するテイクアウェイロール１６、原稿を更に下流側のロールまで搬送すると共にループ作成を行うプレレジロール１７、一旦、停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿を更に下流に搬送するアウトロール２０を備えている。また、第１搬送路３１には、搬送される原稿のループ状態に応じて支点を中心として回動するバッフル４１を備えている。更に、プラテンロール１９とアウトロール２０との間には、本実施の形態における第２のセンサである、ＣＩＳ（Ｃｏｎｔａｃｔ　Ｉｍａｇｅ　Ｓｅｎｓｏｒ）５０を備えている。
【００１６】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１を備えている。また、第３搬送路３３を経由した原稿に対してスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。
【００１７】
ナジャーロール１３は、待機時にはリフトアップされて退避位置に保持され、原稿搬送時にニップ位置（原稿搬送位置）へ降下して原稿トレイ１１上の最上位の原稿を搬送する。ナジャーロール１３およびフィードロール１４は、フィードクラッチ（図示せず）の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２プラテンガラス７２Ｂ（後述）に押圧されて、下面方向から画像データが読み込まれる。
【００１８】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ（図示せず）がオフの状態でリトラクトされてニップが開放され、原稿をインバータパス（第４搬送路３４）へ導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００１９】
スキャナ装置７０は、上述した原稿送り装置１０を備えることができると共に、この原稿送り装置１０を装置フレーム７１によって支え、また、原稿送り装置１０によって搬送された原稿の画像読み取りを行っている。このスキャナ装置７０は、筐体を形成する装置フレーム７１に、画像を読み込むべき原稿を静止させた状態で載置する第１プラテンガラス７２Ａ、原稿送り装置１０によって搬送中の原稿を読み取るための光の開口部を形成する第２プラテンガラス７２Ｂが設けられている。
【００２０】
また、スキャナ装置７０は、第２プラテンガラス７２Ｂの下に静止し、および第１プラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する照明ランプ７４、原稿から得られた反射光を受光する第１ミラー７６Ａが備えられている。更に、ハーフレートキャリッジ７５には、第１ミラー７６Ａから得られた光を結像部へ提供する第２ミラー７６Ｂおよび第３ミラー７６Ｃが備えられている。更に、スキャナ装置７０は、第３ミラー７６Ｃから得られた光学像を光学的に縮小する結像用レンズ７７、結像用レンズ７７によって結像された光学像を光電変換するＣＣＤ（Ｃｈａｒｇｅ　Ｃｏｕｐｌｅｄ　Ｄｅｖｉｃｅ）イメージセンサ７８、ＣＣＤイメージセンサ７８を備える駆動基板７９を備え、ＣＣＤイメージセンサ７８によって得られた画像信号は駆動基板７９を介して処理装置８０に送られる。
【００２１】
ここで、まず、第１プラテンガラス７２Ａに載置された原稿の画像を読み取る場合には、フルレートキャリッジ７３とハーフレートキャリッジ７５とが、２：１の割合でスキャン方向（矢印方向）に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向（スキャンの主走査方向）の１ラインの読み取りが終了すると、主走査方向とは直交する方向（副走査方向）にフルレートキャリッジ７３を移動させ、原稿の次のラインを読み取る。これを原稿サイズ全体に亘って実行することで、１ページの原稿読み取りを完了させる。
【００２２】
一方、第２プラテンガラス７２Ｂは、例えば長尺の板状構造をなす透明なガラスプレートで構成される。原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、本実施の形態における第１のセンサであるＣＣＤイメージセンサ７８によって画像が読み込まれる。即ち、１次元のセンサであるＣＣＤイメージセンサ７８によって主走査方向の１ライン分を同時に処理した後、原稿送り装置１０によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００２３】
本実施の形態では、フルレートキャリッジ７３とハーフレートキャリッジ７５とを停止させ、第２プラテンガラス７２ＢにてＣＣＤイメージセンサ７８により原稿の第１面の読み取りを行う原稿の搬送時に、同時（時間の完全一致ではなく、同一の原稿搬送時程度の意味）　に第２のセンサであるＣＩＳ（Ｃｏｎｔａｃｔ　Ｉｍａｇｅ　Ｓｅｎｓｏｒ）５０によって、原稿の第２面の読み取りを行うことが可能である。即ち、第１のセンサであるＣＣＤイメージセンサ７８と第２のセンサであるＣＩＳ５０とを用いて、搬送路への原稿の一度の搬送で、この原稿における表裏両面の画像を読み取ることを可能としている。
【００２４】
図２は、処理装置８０を説明するためのブロック図である。本実施の形態が適用される処理装置８０は、大きく、ＣＣＤイメージセンサ７８およびＣＩＳ５０から得られた画像情報を処理する信号処理部８１と、ＣＣＤイメージセンサ７８、ＣＩＳ５０、原稿送り装置１０およびスキャナ装置７０を制御する制御部８５とを備えている。信号処理部８１は、アナログ信号の処理を行うＡＦＥ（Ａｎａｌｏｇ　Ｆｒｏｎｔ　Ｅｎｄ）８２、アナログ信号をディジタル信号に変換するＡＤＣ（Ａｎａｌｏｇ　ｔｏ　Ｄｉｇｉｔａｌ　Ｃｏｎｖｅｒｔｅｒ）８３、ディジタル信号に対してシェーディング補正やオフセット補正等の各種処理を施すディジタル処理部８４を備え、ディジタル処理部８４により処理されたディジタル信号は、ホストシステムへ出力され、例えば、プリンタへ画像情報として出力される。
【００２５】
一方、制御部８５は、原稿送り装置１０およびスキャナ装置７０の全体を制御する画像読み取りコントロール８６、ＣＣＤイメージセンサ７８およびＣＩＳ５０を制御するＣＣＤ／ＣＩＳコントロール８７、読み取りタイミングに合わせてＣＩＳ５０内のランプ（図示せず）やフルレートキャリッジ７３の照明ランプ７４を制御するランプコントロール８８、スキャナ装置７０におけるモータのオン／オフなどを行いフルレートキャリッジ７３とハーフレートキャリッジ７５とのスキャン動作を制御するスキャンコントロール８９を備えている。これらの各種コントロールからは、原稿送り装置１０のＡＤＦコントローラ９０およびスキャナ装置７０に対して制御信号が出力され、かかる制御信号に基づいて、これらの動作制御が可能となる。画像読み取りコントロール８６は、ホストシステムからの制御信号や、例えば自動選択読み取り機能に際して検出されるセンサ出力、ユーザからの選択等に基づいて、読み取りモードを設定し、原稿送り装置１０およびスキャナ装置７０を制御している。
【００２６】
次に、本実施の形態が適用されるミックスモード原稿のサイズ検出機構について詳述する。
図３は、原稿トレイ１１から供給される原稿のサイズを検出する原稿サイズ検出機構を説明するための図である。本実施の形態では、原稿送り方向に直交する方向（主走査方向）の中央位置（原稿における主走査方向の中央位置）を基準として原稿を搬送し、この搬送された原稿を読み取るセンターレジ（センターレジストレーション）が採用されている。このセンターレジを実現するに際し、原稿をセンター振り分けし、原稿を位置決めするための２つの位置決めガイド（奥側ガイド６１および手前側ガイド６２）が原稿トレイ１１の原稿載置面に設けられている。
【００２７】
奥側ガイド６１および手前側ガイド６２は、スライド溝６５を用いて原稿搬送方向に直交する方向（奥行き方向、原稿の幅方向）にスライド可能に構成されている。また、奥側ガイド６１および手前側ガイド６２は、原稿トレイ１１の原稿載置面の裏側（原稿トレイの内側）に設けられるラック６３とそれぞれ連結され、奥側ガイド６１から延びるラック６３と手前側ガイド６２から延びるラック６３とは、ピニオン６４に連結されている。このラック６３とピニオン６４とによって、奥側ガイド６１および手前側ガイド６２は、一方のガイドのスライド動作に連動してスライドし、その両者のスライド量は、同等に制御される。奥側ガイド６１および手前側ガイド６２が奥行き方向のセンター（中心位置）から均等となる位置に配置されていれば（センター振り分けがなされていれば）、奥側ガイド６１および手前側ガイド６２によって形成される奥行き方向長さのセンター（中心位置）は、これらのガイドがスライドした後であっても維持される。このピニオン６４には、例えばポテンシャルメータ（図示せず）が設けられ、ピニオン６４の回転に変換されるガイド（奥側ガイド６１および手前側ガイド６２）のスライド量を認識し、ＡＤＦコントローラ９０にて、セットされたガイドの奥行き方向の位置、即ち、載置される原稿のサイズ（奥行き方向サイズ）が認識される。また、所定のアクチュエータを用いてスライド量を認識するように構成することも可能である。
【００２８】
更に、本実施の形態では、第１搬送路３１におけるフィードロール１４の下流側近傍に、原稿の有無を検知する複数の検知センサ６６が設けられ、原稿トレイ１１からナジャーロール１３によって供給され、フィードロール１４によって搬送される原稿の奥行き方向に対する原稿の有無を検知している。この検知センサ６６は、例えば反射型センサが用いられ、載置されると予想される原稿のサイズ（Ａ４縦、Ａ４横、Ａ５横、Ｂ４横、Ｂ５縦、等のＡ／Ｂ系列や、インチ系のサイズ等）の検知を考慮して、その配置間隔が決定されている。
【００２９】
ここで、本実施の形態では、異なるサイズの原稿を同時に束ねて原稿トレイ１１上に載置し、その原稿束から異なるサイズの原稿を順次、入力するミックス（ＭＩＸ）入力を可能としている。このミックス入力では、原稿の奥行き方向に異なった長さの原稿を入力する異幅ミックス（例えばＡ４とＢ４）と、原稿の奥行き方向に対して同幅の原稿を入力する同幅ミックス（例えばＢ５長手方向送り（Ｂ５Ｌ：Ｂ５ＬＥＦ）とＢ４短手方向送り（Ｂ４Ｓ：Ｂ４ＳＥＦ））がある。本実施の形態では、これらのミックス入力に際し、このミックス原稿束の最大原稿幅に合わせて奥側ガイド６１および手前側ガイド６２をスライドさせ、例えば奥側ガイド６１の位置からの原稿サイズを検出することで、ミックス原稿の束（原稿群）に含まれる原稿の奥行き方向サイズを認識可能としている。このとき、本実施の形態では、サイズの異なる原稿を奥側ガイド６１および引き込み方向先端側に揃えて原稿トレイ１１に原稿が載置されるように、ミックス入力される原稿群を束ねる際に原稿の奥側と送り方向先端側とに原稿を揃えて束ねるように、ユーザに対して指示がなされる。
【００３０】
図４は、原稿送り装置１０におけるＡＤＦコントローラ９０の構成を示したブロック図であり、ミックスモードの制御を中心に説明している。本実施の形態が適用されるＡＤＦコントローラ９０には、処理装置８０からの出力や検知センサ６６からの出力、ガイド（奥側ガイド６１および手前側ガイド６２）の変位等に基づいてミックス原稿モードを制御するミックスモードコントロール９１、このミックスモードコントロール９１からの指示に基づいて、例えばＣＩＳ５０のＬＥＤの点灯制御等、各種の画像読み取りを制御するＣＩＳコントロール９６、ミックスモードコントロール９１からの指示に基づいて各搬送機構を制御する搬送機構コントロール９７を備えている。搬送機構コントロール９７は、原稿送り装置１０におけるモータの制御、各種ロールの動作やフィードクラッチの動作、ゲートの切り替え動作等を制御している。
【００３１】
ミックスモードコントロール９１は、最大原稿幅によって決定されるガイド位置（奥側ガイド６１および手前側ガイド６２の位置）を検出するガイド位置検出部９２、検知センサ６６によって検知される信号に基づいて、原稿の主走査方向（原稿搬送方向と直交する方向、奥行き方向）のサイズを検出する主走査方向サイズ検出部９３、副走査方向（原稿搬送方向）のサイズを検出する副走査方向サイズ検出部９４、ガイド位置検出部９２や主走査方向サイズ検出部９３および副走査方向サイズ検出部９４からの出力に基づいてＣＩＳ５０やスキャナ装置７０の読み込み位置を決定する読み込み位置決定部９５を備えている。この読み込み位置決定部９５による出力は、ＣＩＳコントロール９６を経てＣＩＳ５０のセンサ等を制御し、また、処理装置８０に送られて、読み込みの制御の他、拡大縮小や画像回転等の各種画像処理が実行される。また、単に、筐体表面に設けられたコントロールパネル等に、ミックスモードを表す表示を行うように構成することも可能である。
【００３２】
図５（ａ）〜（ｄ）、図６（ａ）〜（ｅ）は、配置される検知センサ６６の位置を説明するための図である。図５（ａ）〜（ｄ）は、国際規格であるＡ系列および日本国の規格であるＢ系列を含む異幅ミックスの原稿検知のための、検知センサ６６の配置を説明している。各々、ガイド（奥側ガイド６１および手前側ガイド６２）をスライドさせ、図５（ａ）では最大原稿幅がＡ４の長手（Ａ４Ｌ：Ａ４ＬＥＦ）即ちＡ３の短手（Ａ３Ｓ：Ａ３ＳＥＦ）である２９７ｍｍまでガイドが広げられた状態、図５（ｂ）では最大原稿幅がＢ５の長手（Ｂ５Ｌ）即ちＢ４の短手（Ｂ４Ｓ）である２５７ｍｍにてガイドが位置決めされた状態、図５（ｃ）では最大原稿幅がＡ４の短手（Ａ４Ｓ）即ちＡ５の長手（Ａ５Ｌ）である２１０ｍｍにてガイドが位置決めされた状態、図５（ｄ）では最大原稿幅がＢ５の短手（Ｂ５Ｓ）である１８２ｍｍにてガイドが位置決めされた状態を示している。前述したように、奥側ガイド６１および手前側ガイド６２をスライドさせた場合、センター（中心位置）から均等の距離となるように、センター振り分けによってガイドが位置決めされる。従って、図５（ａ）〜図５（ｄ）では、各々、原稿搬送方向に直交する方向（奥行き方向）のセンター（中心位置）から均等な位置にてガイドが位置決めされる。図５（ａ）〜図５（ｄ）には、各々「奥側ガイド６１の位置」と「手前側ガイド６２の位置」が示されている。
【００３３】
尚、図５および図６に示すように、この奥側ガイド６１および手前側ガイド６２のスライド状態に関係なく、検知センサ６６の位置（ここでは６６−１〜６６−４）は一定である。また、例えば、原稿幅公差±２ｍｍ程度、原稿ガイド位置ばらつき±１ｍｍ程度、センサ位置ばらつき±１ｍｍ程度、センサ検知範囲±３ｍｍ程度、スキューの影響±２ｍｍ程度を考慮し、原稿エッジと検知センサ６６を構成する各センサのセンターとの距離は、１０ｍｍを確保している。更に、本実施の形態では、検知に用いられない検知センサ６６のアクチュエータへの引っかかりを防止するために、反射型センサが採用されている。
【００３４】
図５（ａ）では、Ａ４縦置き原稿またはＡ３横置き原稿と共に、Ａ４横置き原稿、Ａ５縦置き原稿、Ｂ５縦置き原稿、Ｂ４横置き原稿の少なくとも何れか一つが、奥側ガイド６１に揃えられて原稿トレイ１１に載置された状態を考察している。ここで、「縦置き」とは原稿搬送方向に直交する方向（主走査方向、奥行き方向）を原稿の長手方向とする場合を示し、「横置き」とは奥行き方向を原稿の短手方向とする場合である。検知センサ６６のうち、６６−１によって原稿からの反射光が得られない場合に、Ａ４横置き原稿またはＡ５縦置き原稿の存在を検知することができる。また、検知センサ６６のうち、６６−１および６６−２は反射光が得られるが、６６−３では反射光が得られない場合に、Ｂ５縦置き原稿またはＢ４横置き原稿の存在を認識することができる。尚、ここでは、Ａ５横置きとＢ５横置きは禁止されている。
【００３５】
図５（ｂ）では、Ｂ５縦置き原稿またはＢ４横置き原稿と共に、Ａ４横置き原稿、Ａ５縦置き原稿の少なくとも何れか一つが奥側ガイド６１に揃えられて原稿トレイ１１に載置された状態を考察している。図５（ａ）と同様に、Ａ５横置きとＢ５横置きは禁止されている。検知センサ６６のうち、６６−１は原稿からの反射光が得られるが６６−２によって原稿からの反射光が得られない場合に、Ａ４横置き原稿またはＡ５縦置き原稿の存在を検知することができる。
【００３６】
図５（ｃ）では、Ａ４横置き原稿またはＡ５縦置き原稿と共に、Ｂ５横置き原稿が載置された状態を考察している。検知センサ６６のうち、６６−１は原稿からの反射光が得られるが６６−２によって原稿からの反射光が得られない場合に、Ｂ５横置き原稿の存在を検知することができる。尚、ここでは、Ａ５横置き原稿は禁止されている。
【００３７】
図５（ｄ）では、Ｂ５横置き原稿と共に、Ａ５横置き原稿が束ねられた場合を考察している。検知センサ６６のうち、６６−１によって原稿からの反射光が得られない場合に、Ａ５横置き原稿が搬送されることが検知できる。
【００３８】
図６（ａ）〜（ｅ）は、Ａ系列とインチ（ｉｎｃｈ）系列とを含む異幅ミックスの原稿検知のための、検知センサ６６の配置を説明している。インチ系列では、欧米の便箋のサイズであるレター（ｌｅｔｔｅｒ）、アメリカ政府公文書のサイズであるリーガル（Ｌｅｇａｌ）、欧米の夕刊紙のサイズであるタブロイド（ｔａｂｌｏｉｄ）等がある。ここで、レターは８．５”（２１５．９ｍｍ）×１１”（２７９．４ｍｍ）、リーガルは８．５”（２１５．９ｍｍ）×１４”（３５５．６ｍｍ）、タブロイドは１１”（２７９．４ｍｍ）×１７”（４３１．８ｍｍ）である。
【００３９】
図６（ａ）では、Ａ４縦置き原稿またはＡ３横置き原稿と共に、Ａ４横置き原稿、Ａ５縦置き原稿、奥行き方向が８．５インチとなるように置かれた原稿（５．５”×８．５”ＬＥＦ、８．５”×１１”／１３”／１４”ＳＥＦ）、奥行き方向が１１インチとなるように置かれた原稿（１１”×８．５”ＬＥＦ、１１”×１７”ＳＥＦ）の少なくとも何れか一つが、奥側ガイド６１に揃えられて原稿トレイ１１に載置された状態を示している。Ａ４横置き原稿（Ａ４ＳＥＦ）、Ａ５縦置き原稿（Ａ５ＬＥＦ）、奥行き方向が８．５インチ（２１５．９ｍｍ）となるように置かれた原稿については、図５にも示した検知センサ６６の６６−２を用い、この６６−２にて反射光が得られない場合に、検知することができる。また、奥行き方向が１１インチ（２７９．４ｍｍ）となるように置かれた原稿（１１”×８．５”ＬＥＦ、１１”×１７”ＳＥＦ）については、検知センサ６６の６６−４によって検知することができる。
【００４０】
ここで、８．５インチ（２１５．９ｍｍ）と２１０ｍｍとは、上述したような、原稿幅やガイド位置、センサ検知範囲等の各ばらつきから、検知センサ６６による区別は難しい。そこで、本実施の形態では、ＡＤＦコントローラ９０にインチ系を使用するマルチナショナルバージョンとＢ系を有する日本バージョンとのテーブル情報を各々用意してメモリに格納し、例えば製品の出荷時や製品の設置時等にダイアグ（Ｄｉａｇ）を切り替えることによって、何れかの選択を可能としている。以下も同様である。
【００４１】
図６（ｂ）では、最大原稿幅１１インチ（２７９．４ｍｍ）である原稿（１１”×８．５”ＬＥＦ、１１”×１７”ＳＥＦ）と共に、Ａ４ＳＥＦ、Ａ５ＬＥＦ、奥行き方向が８．５インチとなるように置かれた原稿（５．５”×８．５”ＬＥＦ、８．５”×１１”／１３”／１４”ＳＥＦ）の少なくとも何れか一つが存在することを、検知センサ６６の６６−２によって検知することができる。
【００４２】
図６（ｃ）では、最大原稿幅８．５インチ（２１５．９ｍｍ）の原稿に合わせてガイド（奥側ガイド６１および手前側ガイド６２）がスライドされた場合を示している。また、図６（ｄ）では、最大原稿幅Ａ４ＳＥＦ／Ａ５ＬＥＦ（２１０ｍｍ）に合わせてガイドがスライドされた場合を示している。図６（ｅ）では、最大原稿幅Ａ５ＳＥＦ（１４８．５ｍｍ）に合わせてガイドがスライドされた場合を示している。図６（ａ）〜図６（ｄ）では、Ａ５の短手送り（Ａ５ＳＥＦ）と５．５”×８．５”ＳＥＦが禁止されており、ここではこれらの原稿の判別は考えていない。図６（ｅ）では、ガイド（奥側ガイド６１および手前側ガイド６２）のスライドによって、Ａ５の短手送り（Ａ５ＳＥＦ）または５．５”×８．５”ＳＥＦを判別可能としている。
【００４３】
この図５（ａ）〜（ｄ）、図６（ａ）〜（ｅ）に示すように、本実施の形態では、奥側ガイド６１および手前側ガイド６２をスライドさせて移動させた場合であっても、４つの検知センサ６６（６６−１〜６６−４）によって、移動される奥側ガイド６１を基準位置として、異幅サイズのミックス原稿における幅（奥行き方向の長さ）を認識することができる。
【００４４】
図７（ａ）〜（ｃ）は、上述のような検知センサ６６を用いた実施の形態１におけるミックス原稿載置例を示した図である。図７（ａ）では、ミックス原稿束としてＡ４原稿とＢ４原稿とが混在しており、Ａ４短手幅（Ａ４Ｓ）とＢ４の短手幅（Ｂ４Ｓ）とを送り方向に直交する方向となるように原稿が載置されている。このとき、本実施の形態では、奥側ガイド６１および手前側ガイド６２は、載置されるミックス原稿束の最大原稿であるＢ４の短手幅（２５７ｍｍ）にスライドさせている。即ち、Ｂ４原稿の短手幅に奥側ガイド６１および手前側ガイド６２を押し付けてスライド位置が決定される。このスライド位置は、例えば図４に示すピニオン６４に連動された例えばポテンシャルメータからの信号に基づいて、ＡＤＦコントローラ９０によって認識される。また、図７（ａ）の例では、最大原稿幅（Ｂ４の短手幅（Ｂ４Ｓ））に対し、この幅よりも短いＡ４の短手幅（Ａ４Ｓ）を奥行き方向幅とする原稿が同時に載置される。ここで、Ａ４の短手幅（Ａ４Ｓ）の原稿が搬送された場合には、検知センサ６６によって原稿の奥行き方向のサイズを検知し、ミックス原稿束から混在する原稿を区別することを可能としている。
【００４５】
図７（ｂ）では、奥側ガイド６１および手前側ガイド６２は、載置されるミックス原稿束の最大原稿であるＡ３の短手幅（Ａ３Ｓ：２９７ｍｍ）に押し付けられてスライド位置が決定されている。このとき、異幅原稿は、奥側ガイド６１側と引き込み方向先端に合わせて束となって載置されている。決定されるスライド位置は、ピニオン６４に連動されたポテンシャルメータからの信号に基づいて、ＡＤＦコントローラ９０により認識される。また、図７（ｂ）の例では、Ａ３の原稿と共に載置される異幅原稿であるＡ４ＳＥＦ、Ｂ４ＳＥＦを検知センサ６６を用いて認識することができる。また、図７（ｂ）では、インチサイズである１１”×１７”ＳＥＦの原稿についても認識することが可能であることが示されている。
【００４６】
図７（ｃ）では、奥側ガイド６１および手前側ガイド６２が、載置されるミックス原稿束の最大原稿であるＢ４の短手幅（Ｂ４Ｓ：２９７ｍｍ）に押し付けられてスライド位置が決定されている。ここでは、このＢ４の短手幅と同幅となるＢ５の長手幅（Ｂ５Ｌ）、即ち、同幅ミックス原稿が載置された状態が示されている。かかる場合には、検知センサ６６によってミックス原稿を認識することはできず、前述したように、搬送路に設けられる所定のセンサ（図示せず）によって、実際に搬送される原稿の移動時間を測定し、同幅であるがサイズの異なる原稿が載置されていることを認識することが可能である。この構造としては、例えば、原稿搬送路（第１搬送路３１等）にインタラプタ型のセンサを配設し、原稿の搬送によってアクチュエータを動かしてこのセンサを作動させるように構成する。このセンサを作動させる時間を検出することで、原稿の送り方向の長さを認識することができる。尚、例えば、図７（ｂ）に示すように奥側ガイド６１および手前側ガイド６２がＡ３ＳＥＦに設定された場合にてＡ４ＬＥＦの原稿が載置された場合も、図７（ｃ）に示すような同幅ミックスと同様となる。
【００４７】
次に、ＡＤＦコントローラ９０において実行される処理について説明する。
図８は、ＡＤＦコントローラ９０において実行される処理の流れを示したフローチャートである。ＡＤＦコントローラ９０は、例えばスキャナ装置７０の上部に設けられたコントロールパネル等から、ミックス原稿送りボタンの押下等の、ユーザによるミックス原稿送りの指示があったか否かを判断する（ステップ１０１）。ミックス原稿送りの指示がなく、スタート指示がなされた場合には、通常の原稿搬送処理の制御が実行される（ステップ１０２）。ステップ１０１で、ミックス原稿送りの指示があった場合に、ミックス原稿送りの制御が実行される。このとき、例えば、前述したコントロールパネル等に「原稿を奥側に揃えて載置してください。」等の指示が、所定の絵とともに表示されることが好ましい。
【００４８】
ミックス原稿送りでは、まず、ガイド（奥側ガイド６１および手前側ガイド６２）の位置が認識され（ステップ１０３）、最大原稿幅（主走査方向に最大の幅となる原稿サイズ）が認識される。その後、ユーザによるスタート指示を待つ（ステップ１０４）。スタート指示がない場合にはステップ１０３に戻り、スタート指示がなされた場合には、ナジャーロール１３等を駆動させ、原稿の搬送を開始する（ステップ１０５）。原稿がフィードロール１４を過ぎて検知センサ６６に達した際に、この検知センサ６６を用いて原稿幅を認識する（ステップ１０６）。また、搬送路に設けられた図示しないセンサを用いて原稿の送り量を認識し、この送り量から原稿の搬送方向長さ（副走査方向の長さ）を認識する（ステップ１０７）。これらの認識に基づいて、格納されている原稿サイズ情報であるテーブルから原稿のサイズを決定し（ステップ１０８）、原稿サイズを例えば処理装置８０の制御部９０等に出力して（ステップ１０９）、処理が終了する。
【００４９】
このように、本実施の形態によれば、主走査方向にセンター振り分けをして載置された原稿から画像情報を読み取る原稿読み取り装置にあって、最大載置原稿幅（最大種走査方向サイズ）へガイド（奥側ガイド６１および手前側ガイド６２）を押し付けることで、異幅／同幅ミックス原稿における原稿群の主走査方向幅を検知することが可能となる。また、このとき、ユーザに対して、例えばコントロールパネル（図示せず）等を用いて、ユーザに対し、異幅／同幅ミックス原稿を例えば奥側ガイド６１に押し付けて載置するように指示する。これによって、通常原稿に対する読み取りと同じ操作性によって、異幅／同幅ミックス原稿の原稿群から供給される原稿のサイズを認識することが可能となる。尚、本実施の形態では、コントロールパネルからユーザによるミックスモード指定を受けることが可能であるが、この指定は、例えばミックスモードを指示するボタンや、例えばタッチパネルに設けられたミックスモード表示に触れること等で可能となる。
【００５０】
また、本実施の形態によれば、ガイド（奥側ガイド６１および手前側ガイド６２）が機械の読み取り可能最大幅に設定されているとき、ユーザにより、例えばコントロールパネル（図示せず）からミックスモードが選択された場合に、載置されているミックス原稿の最大サイズが位置決めされたガイドによって決定されるサイズよりも小さい場合であっても、ミックス原稿モードで読み取るように構成することも可能である。
【００５１】
◎　実施の形態２
実施の形態１では、原稿押さえのガイド（奥側ガイド６１および手前側ガイド６２）を、そのときの異幅ミックス原稿の束（原稿群）における最大幅の原稿に合わせてセットし、異幅ミックス原稿の他の原稿幅については、そのセットされた状態における奥側ガイド６１からの距離を検知センサ６６によって検知して、異幅ミックス原稿のサイズを認識していた。実施の形態２では、ミックス原稿の同時読み取りを実行する際、予め原稿押さえのガイド（奥側ガイド６１および手前側ガイド６２）を、原稿送り装置１０が機械として設計上、載置可能な最大幅の原稿（例えばＡ３ＳＥＦ）にまで広げ、異幅ミックス原稿や同幅ミックス原稿の読み取りを実行するものである。尚、実施の形態１と同様な機能については同様な符号を用い、ここではその詳細な説明を省略する。
【００５２】
図９（ａ）〜（ｃ）は、実施の形態２におけるミックス原稿載置例を示した図である。この実施の形態２においても、実施の形態１と同様に、原稿送り方向に直交する方向の中央位置（原稿における主走査方向の中央位置）を基準として原稿を搬送し、この搬送された原稿を読み取るセンターレジ（センターレジストレーション）が採用されている。図９（ａ）〜（ｃ）では、原稿送り装置１０が想定している最大原稿送り幅（原稿送り方向に直交する方向（主走査方向）の最大幅、本実施の形態ではＡ３短手方向送り幅（Ａ３ＳＥＦ））に奥側ガイド６１および手前側ガイド６２を押し広げ、この奥側ガイド６１に全ての原稿を押し当てて位置決めをし、検知センサ６６を用いて原稿幅を検出している。
【００５３】
図９（ａ）では、ミックス原稿の最大原稿幅はＢ４であり、一緒に束ねられる異幅原稿であるＡ４と共に、奥側ガイド６１に押し当てられ、図の引き込み方向に対して搬送される。ここでは、検知センサ６６の中で、検知センサ６６の中の前述した６６−１および／または６６−２にて原稿を検知できない場合にＡ４短手幅（Ａ４Ｓ）であると判断し、６６−１および／または６６−２にて原稿を検知できるが６６−４にて原稿を検知できない場合に、Ｂ４短手幅（Ｂ４Ｓ）であると判断している。図９（ｂ）では、ミックス原稿の最大原稿幅がＡ３であり、図７（ｂ）における場合と同様であることから、ここでは説明を省略する。図９（ｃ）では、載置可能な最大原稿幅（Ａ３）よりも小さいＢ４幅の原稿をミックス原稿の最大原稿幅として、同幅の原稿（Ｂ４ＳとＢ５Ｌ）９をミックスして載置した状態を示している。このミックス原稿は、全て奥側ガイド６１に押し当てられ、引き込み方向に搬送された際に、検知センサ６６によって、Ｂ４幅の原稿であることが認識される。そして、前述したように、搬送路に設けられる所定のセンサによって、実際に搬送される原稿の移動時間を測定し、同幅であるがサイズの異なる原稿が載置されていることを認識することができる。
【００５４】
このように実施の形態２によれば、常に最大幅にガイド（奥側ガイド６１および手前側ガイド６２）が設定された状態で、ガイドが最大幅に存在することを認識し、ミックス原稿群の原稿サイズを読み取ることで、ユーザの操作性が簡単であり、また、確実に原稿サイズの認識を行うことができる。機械の最大載置原稿幅までガイドが広げられた状態にあることを確認した後、このガイドの何れか一方に突き当てられていることを前提として原稿サイズを認識することで、例えば、ユーザからのミックスモード指定を省略し、このガイドの操作で代用するように設計することも可能である。尚、最大幅にあることの認識は、図３に示したピニオン６４の回転による認識することや、奥側ガイド６１等のガイドが最大幅に存在することを特定のセンサ（図示せず）によって認識することができる。
【００５５】
◎　実施の形態３
実施の形態１および実施の形態２では、スライドするガイド（奥側ガイド６１および手前側ガイド６２）と、位置が固定された複数のセンサからなる検知センサ６６とにより、センターレジを採用した装置における異幅原稿の原稿サイズ検知を行っている。実施の形態３では、スライドする奥側ガイド６１に対して検知センサを連動させた点に特徴がある。尚、実施の形態１および実施の形態２と同様の機能については同様の符号を用い、ここではその詳細な説明を省略する。
【００５６】
図１０（ａ）〜（ｃ）は、実施の形態３におけるミックス原稿載置例を示した図である。奥側ガイド６１および手前側ガイド６２が原稿の大きさに応じて均等にスライドされ（センター振り分けがなされ）、センターレジを維持する点は実施の形態１および２と同様である。本実施の形態では、この奥側ガイド６１に、検知センサ６６を備えたアーム６７が連結されている。このアーム６７は、図３に示した位置と同様に、例えばフィードロール１４の下流側に複数のセンサからなる検知センサ６６を配置するように設けられ、検知センサ６６である複数のセンサの間隔は、実施の形態１および２と同様である。このアーム６７は、奥側ガイド６１から延長する部分と検知センサ６６を有する部分を含み、フィードロールや他の搬送機構、各種アクチュエータ等と干渉しない位置に配置される。例えば、原稿トレイ１１の原稿載置面の下部（裏側）等に設けられることが好ましい。
【００５７】
図１０（ａ）では、最大ミックス原稿幅がＡ３（Ａ３ＳＥＦ）であり、異幅原稿であるＢ５、Ａ４ＳＥＦ、Ｂ４が載置される。このとき、実施の形態１および２と同様に、これらの異幅原稿は、奥側ガイド６１および引き込み方向に揃えられて載置される。例えば、奥側ガイド６１の位置によって、最大ミックス原稿幅がＡ３であることが認識されるが、その他の異幅原稿については、実施の形態１および２と同様に、検知センサ６６によって、即ち、ナジャーロール１３やフィードロール１４によって搬送された原稿が検知センサ６６の位置を通過することによって認識される。
【００５８】
図１０（ｂ）では、最大ミックス原稿幅がＢ４（Ｂ４ＳＥＦ）であり、異幅原稿であるＢ５、Ａ４ＳＥＦが載置されている。このとき、検知センサ６６を備えたアーム６７は、奥側ガイド６１と連動し、奥側ガイド６１と検知センサ６６との相対距離は変わらない。その結果、図１０（ａ）と同じ位置の検知センサ６６によって原稿幅を認識することができる。このとき、全ての検知センサ６６は「使用するセンサ」となっている。図１０（ｂ）では、手前側ガイド６２の位置を外れ、この外れた検知センサ６６は、「不使用センサ」となる。同様に、図１０（ｃ）では、最大ミックス原稿幅がＡ４ＳＥＦであり、奥側ガイド６１と連動してスライドするアーム６７に取り付けられた検知センサ６６によって、図１０（ａ），（ｂ）と同じ検知センサ６６を用いてＢ５原稿を認識することができる。図１０（ｃ）では、２つの検知センサ６６が不使用センサとなっている。尚、この奥側ガイド６１のスライドに連動してアーム６７をスライドさせると、幅の小さい原稿の位置合わせのために奥側ガイド６１が手前側に移動すると、手前側の筐体の壁（内壁）６８に突き当たり、連動を阻害することになる。
【００５９】
そこで、本実施の形態では、この壁６８に突き当たった場合でもアーム６７の連動を妨げないように工夫を加えている。
図１１（ａ），（ｂ）は、不使用センサの収容機構を示した図である。ここでは、アーム６７を数段階に分断し、壁（内壁）６８に当接し、更にアーム６７が壁６８方向にスライドした場合には、分断された所定部分が段階的に引っ込むように構成した。その引っ込み部分にはバネ６９等の弾性部材を設け、アーム６７が壁６８から離れるときに、伸びて元の状態に戻ることができる。図１１（ａ）は、アーム６７が壁に当接していない状態を示しており、分断されたアーム６７の夫々に検知センサ６６が設けられている。図１１（ｂ）は、壁６８にアーム６７が当接した後、壁６８方向にアーム６７が更にスライドした状態を示す。このように、アーム６７が壁６８に当接した際、アーム６７の所定部分が引っ込むことで、アーム６７が壁６８に当接してもスライド動作が制限されることはない。
【００６０】
尚、単にバネ６９を備えただけではなく、例えば、１段目の分断されたアーム６７が引っ込みを完了した後に、例えばラッチ（図示せず）が外れて２段目の分断されたアーム６７の引っ込み動作を開始させるように構成することができる。また、例えばラッチの代わりに、アーム６７を貫通するレバー（図示せず）等を設け、１段目の分断されたアーム６７を支えるバネ６９が収縮して内側に引っ込み、引っ込み動作が完了する位置にてこのレバーが押され、２段目に分断されたアーム６７の係合が外れて２段目に分断されたアーム６７の引っ込み動作を開始させるように構成することができる。これらのように構成することで、１段目の分断されたアーム６７が引っ込み動作中は、２段目の分断されたアームが引っ込み動作を行うことがなく、１段目の分断されたアーム６７が引っ込み動作中には、２段目の分断されたアーム６７に設けられる検知センサ６６の奥側ガイド６１との相対距離が変化することがない。同様に複数段に分断されたアーム６７についても、例えば２段目と３段目、３段目と４段目等、段階的に引っ込み動作を行うように構成することができる。
【００６１】
このように、実施の形態３では、最大原稿幅へガイド（奥側ガイド６１および手前側ガイド６２）を押し付け、異幅／同幅ミックス原稿の原稿サイズについては検知センサ６６で読み取る装置において、奥側ガイド６１と連動して検知センサ６６の位置が変わるように構成した。即ち、奥側ガイド６１と検知センサ６６との相対位置を変化させることなく、指定原稿サイズ（定型）の組み合わせで配置された検知センサ６６を用いて原稿サイズを検知することができる。これによって、検知精度を高めることができ、誤検知を抑制することができる。また、装置が搭載可能な最大原稿幅（ここではＡ３）よりも小さいミックス原稿を載置した際には、奥側ガイド６１と検知センサ６６とを連動させるためのアーム６７が引き込まれるように構成した。これによって、検知センサ６６が壁（内壁）６８に突き当たってしまってスライド動作が制限されることを防止できる。
【００６２】
以上、詳述したように、本実施の形態（実施の形態１〜３）によれば、センター振り分けによる位置決めを行うセンターレジを採用する原稿送り装置において、サイズの異なる原稿を含む原稿群から、この原稿群に含まれる原稿のサイズを認識する際に、確実に定型サイズの原稿幅を認識することができる。特に、異幅ミックス／同幅ミックスの原稿群を原稿トレイ１１に載置する際、同じ設定とすることができるので、ユーザの指定を簡略化することも可能である。また、例えば、ユーザからミックスモードの指示を受けた場合に、この複数からなる検知センサ６６の何れかと、例えば第１搬送路３１の途中に設けられたアクチュエータ（図示せず）等により検知される原稿搬送方向の原稿長さとの組み合わせによって、同幅、異幅原稿を１枚ごとに判定することもできる。
【００６３】
尚、本実施の形態では、奥側ガイド６１に位置決めされた状態にてミックス原稿を載置し、この奥側ガイド６１を基準として検知センサ６６により異幅原稿のサイズを認識するように構成したが、手前側ガイド６２を基準位置として、この手前側ガイド６２の位置に合わせて検知センサ６６を配置することも可能である。また、例えば反射型センサである検知センサ６６を用いる代わりに、原稿の有無によって動作するアクチュエータ等の動きを所定のセンサによって認識し、原稿の有無を検知するように構成することもできる。
【００６４】
【発明の効果】
このように、本発明によれば、通常の原稿を搬送する際にはセンターレジストレーション（センター振り分け）を採用する原稿送り装置にあって、この原稿送り装置に載置された原稿群から供給される、異なったサイズを有する原稿の原稿サイズを適切に検知することができる。
【図面の簡単な説明】
【図１】本実施の形態が適用される画像読み取り装置を示した図である。
【図２】処理装置を説明するためのブロック図である。
【図３】原稿トレイから供給される原稿のサイズを検出する原稿サイズ検出機構を説明するための図である。
【図４】原稿送り装置におけるＡＤＦコントローラの構成を示したブロック図である。
【図５】（ａ）〜（ｄ）は、国際規格であるＡ系列および日本国の規格であるＢ系列を含む異幅ミックスの原稿検知のための、検知センサの配置を説明した図である。
【図６】（ａ）〜（ｅ）は、Ａ系列とインチ（ｉｎｃｈ）系列とを含む異幅ミックスの原稿検知のための、検知センサの配置を説明した図である。
【図７】（ａ）〜（ｃ）は、上述のような検知センサを用いた実施の形態１におけるミックス原稿載置例を示した図である。
【図８】ＡＤＦコントローラにおいて実行される処理の流れを示したフローチャートである。
【図９】（ａ）〜（ｃ）は、実施の形態２におけるミックス原稿載置例を示した図である。
【図１０】（ａ）〜（ｃ）は、実施の形態３におけるミックス原稿載置例を示した図である。
【図１１】（ａ），（ｂ）は、不使用センサの収容機構を示した図である。
【符号の説明】
１０…原稿送り装置、１１…原稿トレイ、１３…ナジャーロール、１４…フィードロール、３１…第１搬送路、５０…ＣＩＳ（Ｃｏｎｔａｃｔ　Ｉｍａｇｅ　Ｓｅｎｓｏｒ）、６１…奥側ガイド、６２…手前側ガイド、６３…ラック、６４…ピニオン、６５…スライド溝、６６…検知センサ、６７…アーム、７０…スキャナ装置、７８…ＣＣＤ（Ｃｈａｒｇｅ　Ｃｏｕｐｌｅｄ　Ｄｅｖｉｃｅ）イメージセンサ、８０…処理装置、９０…ＡＤＦコントローラ、９１…ミックスモードコントロール、９２…ガイド位置検出部、９３…主走査方向サイズ検出部、９４…副走査方向サイズ検出部、９５…読み込み位置決定部
【図１】
2004048282.tif 000003
【図２】
2004048282.tif 000004
【図３】
2004048282.tif 000005
【図４】
2004048282.tif 000006
【図５】
2004048282.tif 000007
【図６】
2004048282.tif 000008
【図７】
2004048282.tif 000009
【図８】
2004048282.tif 000010
【図９】
2004048282.tif 000011
【図１０】
2004048282.tif 000012
【図１１】
2004048282.tif 000013